(57)【要約】【課題】例えばビル等の建築物の外壁面や塀などの壁面を緑化する場合などに適用する壁面緑化構造、特に壁材として軽量気泡コンクリート（以下ＡＬＣという）パネルを用いた壁面の緑化構造に係り、緑化パネルの脱落のおそれがなく、かつＡＬＣパネルの耐震性と耐久性とを維持することが可能な壁面緑化構造を提供する。【解決手段】建築物等の構造物に壁材として取付けたＡＬＣパネル１の外表面に、そのＡＬＣパネル取付部品を利用して緑化パネル１０を上記ＡＬＣパネル１に対して所定の間隔をおいて略平行かつ一体的に取付けたことを特徴とする。具体的には、例えば上記構造物の横梁４に固着したパネル取付部品としての定規アングル５を介してＡＬＣパネル１を構造物に取付け、その定規アングル５に間隔保持部材２０を介して緑化パネル１０を取付ければよい。【選択図】  図２
2007020415.tif 000002
【特許請求の範囲】
【請求項１】
建築物等の構造物に壁材として取付けたＡＬＣパネルの外表面に、そのＡＬＣパネル取付部品を利用して緑化パネルを上記ＡＬＣパネルに対して所定の間隔をおいて略平行かつ一体的に取付けたことを特徴とする壁面緑化構造。
【請求項２】
前記構造物の横梁に固着した前記パネル取付部品としての定規アングルを介して前記ＡＬＣパネルを前記構造物に取付け、その定規アングルに間隔保持部材を介して前記緑化パネルを取付けてなる請求項１に記載の壁面緑化構造。
【請求項３】
前記間隔保持部材はＡＬＣパネルの偶部における隣り合うパネル間に挿通させて配置され、その間隔保持部材が通るＡＬＣパネルの偶部に、地震等の振動時に前記間隔保持部材との接触干渉を避けるための切欠部を設けたけたことを特徴とする請求項２に記載の壁面緑化構造。
【発明の詳細な説明】
【技術分野】
【０００１】
本発明は、例えばビル等の建築物や塀もしくは橋梁その他各種の構造物の壁面を緑化する場合などに適用する壁面緑化構造に関する。更に詳しくは、壁材としてＡＬＣパネル（軽量気泡コンクリートパネル）を用いた壁面の緑化構造に関するものである。
【背景技術】
【０００２】
近年、大都市圏では、緑被率の増大やヒートアイランド現象の抑制、さらには室内への直射日光を遮蔽して省エネ効果を図ることを目的として、ビル等の壁面、特に外壁面を緑化する工夫や技術が種々提案されている。
【０００３】
この壁面緑化を大別すると、蔦などを付着根によって壁面に付着させて登はんさせるタイプ、巻き付き型の植物を格子などの補助資材を設置して登はんさせるタイプ、屋上やベランダに植栽基盤を設けて付着根の植物を下垂させるタイプ、壁面自体に鉢状やマット状の植栽基盤を設置するタイプなどがある。
【０００４】
しかしながら、都市部で建築物の壁材として一般的に使用されるＡＬＣパネルを用いたビル等にあっては、下記に述べる理由から緑化が非常に難しいため、緑化処理等は殆ど実施されていないのが現状である。
【０００５】
例えば、壁面に植栽基盤を設置する方法の１つとして、下記特許文献１には、フレーム内に植栽基盤を収容してなる緑化パネルを、アンカーボルトで固定したブラケットによってＲＣ壁などの壁面に取付けることが提案されているが、上記のような壁面がコンクリートの場合にはアンカーボルトを打ち込んでも強度的に問題ないが、ＡＬＣパネルにアンカーボルトを打ち込むと、アンカーボルトの取付強度が低いため、緑化パネルが脱落する等おそれがある。
【０００６】
また下記特許文献２には、肥料などが混合された緑化ブロックを複数積み上げ、その表面に腐葉土の層と保護ネットとを順に設け、さらにその表面に種子を混入した腐葉土の層を形成することによって緑化壁を形成することが提案されているが、上記の緑化ブロックとしてＡＬＣパネルを用いた場合には、該パネルは常時湿潤状態に置かれると経年劣化が促進されるため、長期の使用ができないという欠点があった。
【０００７】
【特許文献１】特開２００２−９５３４７号公報
【特許文献２】特開２００２−１９４８５０号公報
【発明の開示】
【発明が解決しようとする課題】
【０００８】
本発明は上記の問題点に鑑みて提案されたもので、その目的とするところは、都市部に多く用いられているＡＬＣパネルを使用した建物の壁面等に対して、緑化パネルの脱落のおそれがなく、かつＡＬＣパネルの耐震性と耐久性とを維持することが可能な、壁面緑化構造を提供することにある。
【課題を解決するための手段】
【０００９】
上記の目的を達成するために本発明による壁面緑化構造は、以下の構成としたものである。即ち、建築物等の構造物に壁材として取付けたＡＬＣパネルの外表面に、そのＡＬＣパネル取付部品を利用して緑化パネルを上記ＡＬＣパネル対して所定の間隔をおいて略平行かつ一体的に取付けたことを特徴とする。具体的には、例えば建築物等の構造物の横梁に固着したパネル取付部品としての定規アングルを介してＡＬＣパネルを上記構造物に取付け、その定規アングルを利用して該アングルに間隔保持部材を介して緑化パネルを取付けるようにすればよい。
【発明の効果】
【００１０】
本発明による壁面緑化構造は、上記のように建築物等の構造物に壁材として取付けたＡＬＣパネルの取付部品を利用して緑化パネルを取付けるようにしたから、都市部などに多いＡＬＣパネルを壁材として使用した建築物等にあっても構造簡単かつ容易・安価に壁面を緑化することができる。そのため、都市部等の緑化推進に大きく貢献することが可能となる。また上記のようにＡＬＣパネルの外表面に緑化パネルを所定の間隔をおいて略平行に設けたことによって、緑化パネルが潅水による湿潤状態にあってもＡＬＣパネルは殆ど湿潤することがなく、経年劣化を良好に抑制することができる。
【００１１】
また建築物の横梁に固着したＡＬＣパネル取付部品としての定規アングルにＡＬＣパネルを取付け、その定規アングルに間隔保持部材を介して緑化パネルを取付けると、その緑化パネルの取付強度が高く、脱落のおそれを可及的に低減することが可能となる。さらに上記間隔保持部材をＡＬＣパネルの偶部における隣り合うパネル間に挿通させて配置し、それと接触もしくは干渉するおそれのあるパネル隅部の一部分を切り取って切欠部を設けることにより、例えばＡＬＣパネルをロッキング構法等の耐震構法で取付けた場合にも、地震等の振動発生時に間隔保持部材との接触によりＡＬＣパネルに欠け等の損傷を発生させるのが防止され、耐震性能等を良好に維持することができる。
【発明を実施するための最良の形態】
【００１２】
以下、本発明を図に示す実施形態に基づいて具体的に説明する。図１は本発明による壁面緑化構造の一実施形態を示す斜視図、図２はその拡大縦断面図、図３はその壁面緑化構造をＡＬＣパネルの内面側からみた図、図４はその平面図、図５は緑化パネルを省略したＡＬＣパネルの取付構造を示す縦断面図である。
【００１３】
本実施形態はビル等の建築物の外面に縦横に並べて取付けられる外壁用のＡＬＣパネル１の外側に緑化パネル１０を取付けたもので、その各ＡＬＣパネル１の取付構造は適宜であるが、本実施形態においてはパネル内に埋設した埋込アンカー３を利用して耐震構法の１つである従来公知のロッキング構法によって取付けられている。すなわち、図５に示すように各ＡＬＣパネル１内には補強用鉄筋２と一体的に設けたＡＬＣパネル取付用の筒状の埋込アンカー３が埋設され、その筒状アンカー３の内孔に形成した雌ねじ（不図示）を利用して上記各ＡＬＣパネル１を、上記建築物の躯体であるＨ型鋼等よりなる横梁４に、専用のＡＬＣパネル取付部品によって揺動可能に取付けた構成である。
【００１４】
そのＡＬＣパネル取付部品として本実施形態においては上記横梁４に溶接等で固着した定規アングル５と、その定規アングル５に溶接等で固着したウワバプレート６と、上記各ＡＬＣパネル１の下部に埋設した埋込アンカー３にボルト７等で取付けたイナズマプレート８等が用いられている。上記各ＡＬＣパネル１は、上記ウワバプレート６の定規アングル５と反対側の面に溶接等で一体的に設けた水平片６ａ上に載置され、その各ＡＬＣパネル１の下部に取付けたイナズマプレート８の下端部を定規アングル５に引っ掛けて溶接等で固定すると共に、上記各ＡＬＣパネル１の上部に埋設した埋込アンカー３に、ウワバプレート６の下部に貫通させて設けた支持ボルト９をねじ込むことによって、上記各ＡＬＣパネル１は上記支持ボルト９を支点に揺動可能に取付け支持されている。
【００１５】
以上のパネル取付構造は、ロッキング構法として公知のものとほぼ同様であるが、他の耐震構法やそれ以外の取付構造で上記各ＡＬＣパネルを建築物に取付けるようにしてもよい。そして本発明は上記のようにして建築物等に取付けたＡＬＣパネル１の外表面に所定の間隔をおいて略平行かつ一体的に緑化パネル１０を設けたもので、図の場合は横梁４に固着したパネル取付部品としての定規アングル５に間隔保持部材２０を介して緑化パネル１０を取付けた構成である。その緑化パネル１０は、本実施形態においては、緑化基盤１１と培土層１２および植栽１３とで１つのユニット状に構成したもので、そのパネル面の大きさ形状は適宜である。
【００１６】
上記間隔保持部材２０は、フラットバー等の板状の横材２１の一端を、板状の縦材２２の上下方向ほぼ中央部に溶接等で一体的に固着することによって全体略横向きＴ字形に形成され、上記横材２１の他端を前記定規アングル５に溶接等で取付けると共に、それと反対側の上記縦材２２の上下両端部に挿通したボルト２３とナット２４等で緑化パネル１０を取付ける構成である。また上記間隔保持部材２０は、その横材２１が上記各ＡＬＣパネルの隅部における隣り合うパネル間に挿通させて配置され、その間隔保持部材２０が通る各ＡＬＣパネル１の隅部には、地震等の振動時に上記間隔保持部材２０との接触干渉を避けるための切欠部１ａが形成されている。
【００１７】
上記のように本発明による壁面緑化構造は、定規アングル５等のＡＬＣパネル取付部材を利用してＡＬＣパネル１の外表面に所定の間隔をおいて略平行かつ一体的に緑化パネル１０を設けたから、ＡＬＣパネル１を壁材として用いた建築物等にあっても構造簡単かつ容易・安価に壁面を緑化することができる。特に、ＡＬＣパネル１の外表面に緑化パネル１０を所定の間隔をおいて設けたことによって、緑化パネル１０が潅水による湿潤状態にあってもＡＬＣパネル１は殆ど湿潤することがなく、経年劣化を良好に抑制することができるものである。
【００１８】
また上記実施形態のように横梁４に固着した定規アングル５に間隔保持部材２０を溶接等で固定し、その間隔保持部材２０を介して緑化パネル１０を取付けると、高い取付強度が得られ、脱落のおそれを可及的に低減することができる。また上記間隔保持部材２０をＡＬＣパネル１の隅部における隣り合うパネル間に挿通させて配置し、その間隔保持部材２０が通る上記パネル１の隅部に、該間隔保持部材２０との接触や干渉を避けるための切欠部１ａを設けることにより、例えばＡＬＣパネル１をロッキング構法等の耐震構法で取付けた場合にも、地震等の振動発生時に間隔保持部材２０との接触でＡＬＣパネル１の隅部に欠け等の損傷を発生させることなく、耐震性能を良好に維持することができる。
【００１９】
なお上記実施形態は、ＡＬＣパネル１に緑化パネル１０を所定の間隔をおいて取付けるために全体略横向きＴ字形の間隔保持部材２０を用いたが、その間隔保持部材２０の形状や取付け方法等は適宜であり、少なくともＡＬＣパネル１に緑化パネル１０を所定の間隔をおいて取付け支持し得るものであればよい。
【００２０】
また上記実施形態の緑化パネル１０は、緑化基盤１１と培土層１２および植栽１３とで１つのユニットを構成したものであるが、必ずしもこれに限るものではなく、少なくとも植物を栽培し得るものであれば構成は適宜である。例えば、蔦などを付着させて登はんや下垂させるために薄型コンクリート板を用いたり、或いは巻き付き型の植物を登はんや下垂させるために金網などを用いることも可能である。
【００２１】
さらに上記実施形態はビル等の建築物に適用した例を示したが、壁材としてＡＬＣパネルを用いたものであれば、木造建築やプレハブ等であってもよく、また建築物に限らず、例えば塀や橋梁その他各種の構造物にも適用できる。
【産業上の利用可能性】
【００２２】
以上のように、本発明による壁面緑化構造は、建築物等の構造物に壁材として取付けたＡＬＣパネルの外表面に、そのＡＬＣパネル取付部品を利用して緑化パネルを上記ＡＬＣパネルの外表面に所定の間隔をおいて略平行かつ一体的に設けるだけの極めて簡単な構成によって、ＡＬＣパネルを壁材として使用した建築物等にあっても容易に緑化することが可能となるもので、特にＡＬＣパネルを壁材として使用した建物の多い都市部の緑化推進や緑被率の増大およびヒートアイランド現象の抑制などに大きく貢献することができるものである。
【図面の簡単な説明】
【００２３】
【図１】本発明による壁面緑化構造の一実施形態を示す斜視図。
【図２】上記壁面緑化構造の拡大縦断面図。
【図３】上記壁面緑化構造をＡＬＣパネルの内面側からみた図。
【図４】上記壁面緑化構造の平面図。
【図５】緑化パネルを省略したＡＬＣパネルの取付構造を示す縦断面図。
【符号の説明】
【００２４】
１  ＡＬＣパネル
２  補強用鉄筋
３  埋込アンカー
４  横梁
５  定規アングル
６  ウワバプレート
７  取付ボルト
８  イナズマプレート
９  支持ボルト
１０  緑化パネル
１１  緑化基盤
１２  培土層
１３  植栽
２０  間隔保持部材
２１  横材
２２  縦材
【図１】
2007020415.tif 000003
【図２】
2007020415.tif 000004
【図３】
2007020415.tif 000005
【図４】
2007020415.tif 000006
【図５】
2007020415.tif 000007